(57)【要約】【課題】  複数種類のケースを用意しなければならないという煩雑をなくし、それによって、製造コストの低減を図ることが可能な操作部材ユニットを提供することにある。    【解決手段】  任意個数の回転操作部材取付部を備えたケースと、上記回転操作部材取付部に対して回転可能な状態で嵌合される任意個数の回転操作部材と、上記回転操作部材取付部に夫々異なるピッチで設けられた複数種類のクリックフィーリング用溝部と、上記回転操作部材に設けられ上記複数種類のクリックフィーリング用溝部の内の任意のクリックフィーリング用溝部に対向・配置され回転操作時のクリック感を発揮させる押圧手段と、を具備したもの。  【選択図】  図１
2005092304.tif 000002
【特許請求の範囲】
【請求項１】
任意個数の回転操作部材取付部を備えたケースと、
上記回転操作部材取付部に対して回転可能な状態で取り付けられる任意個数の回転操作部材と、
上記回転操作部材取付部に夫々異なるピッチで設けられた複数種類のクリックフィーリング用溝部と、
上記回転操作部材に設けられ上記複数種類のクリックフィーリング用溝部の内の任意のクリックフィーリング用溝部に対向・配置され回転操作時のクリック感を発揮させる押圧手段と、
を具備したことを特徴とする操作部材ユニット。
【請求項２】
請求項１記載の操作部材ユニットにおいて、
上記押圧手段は、上記回転操作部材に設けられた孔と、上記孔内に弾性部材を介して内装される押圧体と、から構成されていることを特徴とする操作部材ユニット。
【請求項３】
請求項２記載の操作部材ユニットにおいて、
上記回転操作部材側には、上記回転操作部材取付部側の複数種類のクリックフィーリング用溝部の夫々に対応できるように複数個の孔が形成されていて、任意の孔内に弾性部材を介して押圧体を内装するように構成されていることを特徴とする操作部材ユニット。
【請求項４】
請求項１〜請求項３の何れかに記載の操作部材ユニットにおいて、
車両用の空気調和装置の操作部材ユニットであることを特徴とする操作部材ユニット。    
【発明の詳細な説明】
【技術分野】
【０００１】
本願発明は、例えば、車両用の空気調和装置用として使用される操作部材ユニットに係り、特に、異なる仕様のクリック感に対応する際に、夫々のクリック感に対応して複数種類の部材を用意することを不要とし、単一の部材でクリック感が異なる複数種類の仕様に対応することができるように工夫したものに関する。
【背景技術】
【０００２】
例えば、車両用の空気調和装置用として仕様される操作部材ユニットは、図３及び図４に示すような構成になっている。まず、ケース２０１があり、このケース２０１は、車両のインストゥルメントパネルの所定個所に嵌め込まれるものである。上記ケース２０１には、前面側に、略円筒状をなす３個の操作部材取付部２０３、２０５、２０７が形成されていて、これら３個の操作部材取付部２０３、２０５、２０７には、同じく略円筒状をなす温度調整用回転操作部材２０９、風量調整用回転操作部材２１１、吹出口切換用回転操作部材２１３が夫々回転可能な状態で取り付けられている。
【０００３】
上記温度調整用回転操作部材２０９、風量調整用回転操作部材２１１、吹出口切換用回転操作部材２１３を回転操作する場合には、いわゆる「クリック感」が得られるようになっている。上記クリック感は次のような構成により得られる。
【０００４】
すなわち、図４に示すように、操作部材取付部２０３、２０５、２０７側には、所定のピッチのクリックフィーリング用溝部２１５、２１７、２１９が夫々設けられている。上記クリックフィーリング用溝部２１５は、操作部材取付部２０３の内周面に複数個の溝２１５ａを所定のピッチで形成した構成になっている。又、上記クリックフィーリング用溝部２１７は、操作部材取付部２０５の内周面に複数個の溝２１７ａを所定のピッチで形成した構成になっている。又、上記クリックフィーリング用溝部２１９は、操作部材取付部２０７の内周面に複数個の溝２１９ａを所定のピッチで形成した構成になっている。
【０００５】
一方、温度調整用回転操作部材２０９側には、押圧手段２２１が設けられている。上記押圧手段２２１は、温度調整用回転操作部材２０９の側面に形成された図示しない孔と、該孔内にコイルスプリング２２３を介して内装された押圧体２２５とから構成されている。上記押圧体２２５はコイルスプリング２２３によって外方に常時押圧されている。そして、この押圧手段２２１がクリックフィーリング用溝部２１５に対向・配置されることになる。
【０００６】
そして、上記温度調整用回転操作部材２０９を回転操作すると、上記押圧手段２２１とクリックフィーリング用溝部２１５との協同作用によって所望のクリック感が得られるものである。すなわち、押圧手段２２１の押圧体２２５がクリックフィーリング用溝部２１５の任意の溝２１５ａに嵌合している状態で、温度調整用回転操作部材２０９を回転操作すると、押圧体２２５が溝２１５ａと隣の溝２１５ａとの間の壁によって、コイルスプリング２２３のスプリング力に抗して押し戻される。そして、壁を乗り越えて隣の溝２１５ａに勘合する。このような一連の作用によって所望のクリック感を得ることができるものである。
【０００７】
又、上記風量調整用回転操作部材２１１、吹出口切換用回転操作部材２１３にも、上記と同様の構成をなす押圧手段２２１が設けられている。そして、同様の作用によって所望のクリック感が得られるものである。
【０００８】
ところで、上記クリック感を得るための構成、すなわち、クリックフィーリング用溝２１５、２１７、２１９の構成が機種によって異なることがある。具体的には、機種によって溝２１５ａ、２１７ａ、２１９ａのピッチ等が異なるものである。
具体的に説明すると、図４に示すケース２０１と図５に示すケース２０１とを比較すると、操作部材取付部２０５、２０７のクリックフィーリング用溝部２１７、２１９の溝２１７ａ、２１９ａのピッチ等が異なっているものである。それを図６に示す。図６（ａ)は図４に示したケース２０１に対応した仕様を示す図であり、図６(ｂ)は図５に示したケース２０１に対応した仕様を示す図である。図６に示すように、図４に示すケース２０１と図５に示すケース２０１とを比較すると、操作部材取付部２０５、２０７のクリックフィーリング用溝部２１７、２１９の溝２１７ａ、２１９ａのピッチ等が異なっているものである。
【０００９】
このように、従来の場合には、機種によって異なる仕様のケース２０１を予め複数種類用意しておき、所望の仕様のケース２０１を選択して使用するようになっている。
尚、同種の車両用の空気調和装置の操作部材ユニットの構成を示すものとして、例えば、特許文献１に開示されるようなものがある。
【００１０】
【特許文献１】特開平１０−１０５２６５号公報
【発明の開示】
【発明が解決しようとする課題】
【００１１】
上記従来の構成によると次のような問題があった。
すなわち、従来の場合には、クリック感を出す為の仕様が異なることに起因して、予め複数種類のケース２０１を用意しておき、そこから所望の仕様のケース２０１を選択して使用する構成となっており、その為、仕様が異なる複数種類のケース２０１を製造して用意しておかなければならないという問題があった。
ケース２０１の製造には当然のことながら高価な金型を必要とし、よって、そのような高価な金型を複数種類製造して使用しなければならず、製造コストが上昇してしまうという問題があった。
【００１２】
本発明はこのような点に基づいてなされたものでその目的とすとるころは、異なるクリック感に対応するべく、仕様の異なる複数種類の部材を予め製造して用意しなければならないという煩雑さをなくし、それによって、部品管理の容易化、製造コストの低減を図ることが可能な操作部材ユニットを提供することにある。    
【課題を解決するための手段】
【００１３】
上記目的を達成するべく本願発明の請求項１による操作部材ユニットは、任意個数の回転操作部材取付部を備えたケースと、上記回転操作部材取付部に対して回転可能な状態で取り付けられる任意個数の回転操作部材と、上記回転操作部材取付部に夫々異なるピッチで設けられた複数種類のクリックフィーリング用溝部と、上記回転操作部材に設けられ上記複数種類のクリックフィーリング用溝部の内の任意のクリックフィーリング用溝部に対向・配置され回転操作時のクリック感を発揮させる押圧手段と、を具備したことを特徴とするものである。
又、請求項２による操作部材ユニットは、請求項１記載の操作部材ユニットにおいて、上記押圧手段は、上記回転操作部材に設けられた孔と、上記孔内に弾性部材を介して内装される押圧体と、から構成されていることを特徴とするものである。
又、請求項３による操作部材ユニットは、請求項２記載の操作部材ユニットにおいて、  上記回転操作部材側には、上記回転操作部材取付部側の複数種類のクリックフィーリング用溝部の夫々に対応できるように複数個の孔が形成されていて、任意の孔内に弾性部材を介して押圧体を内装するように構成されていることを特徴とするものである。
又、請求項４による操作部材ユニットは、請求項１〜請求項３の何れかに記載の操作部材ユニットにおいて、車両用の空気調和装置の操作部材ユニットであることを特徴とするものである。    
【発明の効果】
【００１４】
以上詳述したように本願発明による操作部材ユニットによると、任意個数の回転操作部材取付部を備えたケースと、上記回転操作部材取付部に対して回転可能な状態で嵌合される任意個数の回転操作部材と、上記回転操作部材取付部に夫々異なるピッチで設けられた複数種類のクリックフィーリング用溝部と、上記回転操作部材に設けられ上記複数種類のクリックフィーリング用溝部の内の任意のクリックフィーリング用溝部に対向・配置され回転操作時のクリック感を発揮させる押圧手段と、を具備した構成になっていて、単一のケースにおいて複数種類のクリックフィーリング用溝部を設けた構成にしたので、従来のように異なる仕様に対応した複数種類のケースを製造・用意する必要はなく、部品管理が容易になると共に製造コストの低減に大きく寄与するものである。
又、上記押圧手段を、上記回転操作部材に設けられた孔と、状記孔内に弾性部材を介して内装される押圧体と、から構成し、且つ、回転操作部材側に回転操作部材取付部側の複数種類のクリックフィーリング用溝部の夫々に対応できるように複数個の孔を形成して、任意の孔内に弾性部材を介して押圧体を内装するように構成した場合には、回転操作部材側の部品の共通化も可能になり、上記効果と相俟って、部品管理の容易化、製造コストの低減効果をさらに高めることができる。
又、車両用の空気調和装置の操作部材ユニットとして適用した場合には、顕著な効果を奏することができるものである。  
【発明を実施するための最良の形態】
【００１５】
以下、図１及び図２を参照して本発明の一実施の形態を説明する。この実施の形態は、本願発明を車両用の空気調和装置の操作部材ユニットとして適用した例を示すものである。
図１において、まず、ケース１があり、このケース１は、図示しない車両のインストゥルメントパネルの所定個所に嵌め込まれるものである。上記ケース１には、前面側に、略円筒状をなす３個の操作部材取付部３、５、７が形成されていて、これら３個の操作部材取付部３、５、７には、同じく略円筒状をなす温度調整用回転操作部材９、風量調整用回転操作部材１１、吹出口切換用回転操作部材１３が夫々回転可能な状態で取り付けられている。
【００１６】
上記温度調整用回転操作部材９、風量調整用回転操作部材１１、吹出口切換用回転操作部材１３を回転操作する場合には、いわゆる「クリック感」を得ながら操作できるようになっている。上記クリック感は次のような構成により得られる。
【００１７】
すなわち、操作部材取付部３側には、その内周面にクリックフィーリング用溝部１５が設けられている。上記クリックフィーリング用溝部１５は、複数個の溝１５ａを所定のピッチで形成した構成になっている。
【００１８】
又、操作部材取付部５には、その内周面に仕様が異なる二種類のクリックフィーリング用溝部１７、１９が二段にわたって設けられている。上記クリックフィーリング用溝部１７は複数個の溝１７ａを所定のピッチで形成した構成になっている。同様に、上記クリックフィーリング用溝部１９は、複数個の溝１９ａを所定のピッチで形成した構成になっている。又、この二種類のクリックフィーリング用溝部１７、１９は、その溝ピッチが異なっており、何れかを選択してそれに応じた仕様を得るものである。
【００１９】
又、操作部材取付部７にも、その内周面に仕様が異なる二種類のクリックフィーリング用溝部２１、２３が二段にわたって設けられている。上記クリックフィーリング用溝部２１は複数個の溝２１ａを所定のピッチで形成した構成になっている。同様に、上記クリックフィーリング用溝部２３は、複数個の溝２３ａを所定のピッチで形成した構成になっている。又、この二種類のクリックフィーリング用溝部２１、２３は、その溝ピッチが異なっており、何れかを選択してそれに応じた仕様を得るものである。
【００２０】
一方、温度調整用回転操作部材９側には、押圧手段２５が設けられている。上記押圧手段２５は、図２にも示すように、温度調整用回転操作部材９の側面に形成された孔２７、２９と、該孔２７、２９の何れか一方にコイルスプリング３１を介して内装された押圧体３３とから構成されている。上記押圧体３３はコイルスプリング３１によって外方に常時押圧されている。そして、この押圧手段２５がクリックフィーリング用溝部１５に対向・配置されることになる。
【００２１】
ここで、２個の孔２７、２９が形成されている点について説明する。操作部材取付部３の場合には、単一のクリックフィーリング用溝部１５が設けられているだけであるので、本来は孔は１個で事足りるものであるが、操作部材取付部５、７のように、二種類のクリックフィーリング用溝部１７、１９、或いは２１、２３が設けられている場合には、その何れに対しても対応できるように、予め２個の孔２７、２９を形成しているものである。それによって、温度調整用回転操作部材９、風量調整用回転操作部材１１、吹出口切換用回転操作部材１３の部品の共通化を図っているものである。
因みに、温度調整用回転操作部材９の場合には、孔２７を使用するものであり、よって、孔２９は遮蔽処理されているものである。
【００２２】
そして、上記温度調整用回転操作部材９を回転操作すると、上記押圧手段２５とクリックフィーリング用溝部１５との協同作用によって所望のクリック感を得ることができる。すなわち、押圧手段２５の押圧体３３がクリックフィーリング用溝部１５の任意の溝１５ａに嵌合している状態で、温度調整用回転操作部材９を回転操作すると、押圧体３３が溝１５ａと隣の溝１５ａとの間の壁によって、コイルスプリング３１のスプリング力に抗して押し戻される。そして、壁を乗り越えて隣の溝１５ａに勘合する。このような一連の作用によって所望のクリック感を得ることができるものである。
【００２３】
又、上記風量調整用回転操作部材１１、吹出口切換用回転操作部材１３にも、上記と同様の構成をなす押圧手段２５、２５が夫々設けられている。そして、同様の作用によって所望のクリック感が得られるものである。その際、風量調整用回転操作部材１１の場合には、操作部材取付部５において、２種類のクリックフィーリング用溝部１７、１９の何れを使用するかによって、孔２７、２９の何れかを選択し、そこに、コイルスプリング３１を介して押圧体３３を内装するものである。同様に、吹出口切換用回転操作部材１３の場合には、操作部材取付部７において、２種類のクリックフィーリング用溝部２１、２３の何れを使用するかによって、孔２７、２９の何れかを選択し、そこに、コイルスプリング３１を介して押圧体３３を内装するものである。
【００２４】
又、これら風量調整用回転操作部材１１、吹出口切換用回転操作部材１３の場合にも、選択されなかった孔２７或いは２９については、予め閉塞処理を施しておく。それによって、組立時に誤って異なる孔２７或いは２９内にコイルスプリング３１、押圧体３３を内装してしまうことを防止することができる。
【００２５】
以上本実施の形態によると次のような効果を奏することができる。
以上本実施の形態による操作部材ユニットによると次のような効果を奏することができるものである。
まず、ケース１の回転操作部材取付部５、７に夫々異なるピッチで設けられた二種類のクリックフィーリング用溝部１７、１９、２１、２３を形成し、仕様に応じて何れかを選択して仕様可能な構成にしたので、従来のように異なる仕様に対応した複数種類のケース１を製造・用意する必要はなく、単一種類のケース１を製造・容易すればよくなり、それによって、部品管理が容易になると共に製造コストの低減を図ることが可能になる。
特に、ケース１を成形する場合の金型が単一種類でよくなるので、それによって、製造コストを大幅に低減させることができる。
又、温度調整用回転操作部材９、風量調整用回転操作部材１１、吹出口切換用回転操作部材１３側についても、二種類のクリックフィーリング用溝部１７、１９、２１、２３の夫々に対応できるように二種類の孔２７、２９を設けて何れかを選択して使用することができるようにしたので、回転操作部材側についても単一の種類のものでよくなり、それによって、部品管理の容易化、コストの低減をさらに効果的に計ることが可能になる。
又、この実施の形態の場合には、選択されたなかった孔２７或いは２９に対して閉塞処理を施すようにしたので、組立時における間違いをなくすことができる。
【００２６】
尚、本発明は前記一実施の形態に限定されるものではない。
まず、空気調和装置の操作部材ユニットの構成としては様々なものが考えられ、例えば、回転操作部材の個数、種類等はこれを特に限定するものではない。
又、前記一実施の形態の場合には、二種類のクリックフィーリング用溝部を設けるようにしたが、仕様の種類が多い場合には、三種類以上のクリックフィーリング用溝部を設けることも想定される。
又、前記一実施の形態の場合には、温度調整用回転操作部材に対応した操作部材取付部については一種類のクリックフィーリング用溝部としたが、該場所についても必要に応じて複数種類のクリックフィーリング用溝部を設ければ良い。
【産業上の利用可能性】
【００２７】
本願発明は、仕様の違いに起因した異なるクリック感に対応する際に、複数種類の部材を用意することなく単一の部材で対応することができるように工夫した操作部材ユニットであり、例えば、車両用の空気調和装置用として使用される操作部材ユニットに好適である。
【図面の簡単な説明】
【００２８】
【図１】本発明の一実施の形態を示す図で、車両用の空気調和装置の操作部材ユニットの構成を示す分解斜視図である。
【図２】本発明の一実施の形態を示す図で、車両用の空気調和装置の操作部材ユニットの一部を拡大して示す斜視図である。
【図３】従来例を示す図で、車両用の空気調和装置の操作部材ユニットの構成を示す正面図である。
【図４】従来例を示す図で、車両用の空気調和装置の操作部材ユニットの構成を示す分解斜視図である。
【図５】従来例を示す図で、車両用の空気調和装置の操作部材ユニットのケースの構成を示す斜視図である。
【図６】従来例を示す図で、図６（ａ)は車両用の空気調和装置の操作部材ユニットのケースの操作部材取付部に設けられたクリックフィーリング用溝部の構成を示す正面図、図６（ｂ)も車両用の空気調和装置の操作部材ユニットのケースの操作部材取付部に設けられたクリックフィーリング用溝部の構成を示す正面図である。
【符号の説明】
【００２９】
１  操作部材ユニット
３  操作部材取付部
５  操作部材取付部
７  操作部材取付部
９  温度調整用回転操作部材
１１  風量調整用回転操作部材
１３  吹出口切換用回転操作部材
１５  クリックフィーリング用溝部
１７  クリックフィーリング用溝部
１９  クリックフィーリング用溝部
２１  クリックフィーリング用溝部
２３  クリックフィーリング用溝部
２５  押圧部
２７  貫通孔
２９  貫通孔
３１  コイルスプリング
３３  押圧体
【図１】
2005092304.tif 000003
【図２】
2005092304.tif 000004
【図３】
2005092304.tif 000005
【図４】
2005092304.tif 000006
【図５】
2005092304.tif 000007
【図６】
2005092304.tif 000008